(57)【要約】【課題】本発明の実施例は、光学結像技術の分野に関し、レンズモジュールが開示されている。【解決手段】本発明では、レンズモジュールは、鏡筒と、レンズと、像側からレンズを当接保持する押えリングとを備え、押えリングは、上面と、下面と、上面と下面を接続する内接続面と、内接続面に対向する外接続面とを含み、外接続面が鏡筒に当接し、レンズは、光学部と承接部とを備え、承接部は、像側に近い像側面を含み、上面には、物体側に向かって延びる突起部が設けられ、突起部は、天面と、天面の光軸に近い縁から光軸に近い方向に像側に向かって延びる第１側面と、天面の光軸から離れた縁から光軸に平行な方向に像側に向かって延びる第２側面とを含み、像側面には、対応的に突起部を収容する凹部が物体側に向かって凹んで形成されており、天面と第２側面はレンズを当接保持する。本発明によって提供されたレンズモジュールは、押えリングの組み立て精度を確保するとともに、レンズモジュールの良品率を向上させることができる。【選択図】図２
2020086441.tif 000002
【特許請求の範囲】
【請求項１】
鏡筒と、前記鏡筒内に収容されかつ光軸を有するレンズと、像側から前記レンズを当接保持する押えリングとを備えるレンズモジュールであって、前記押えリングは、物体側に近い上面と、前記上面に対向して設置された下面と、前記上面と前記下面を接続する内接続面と、前記内接続面に対向する外接続面とを含み、前記外接続面が前記鏡筒に当接し、前記レンズは、光学部と、前記光学部を取り囲んで設置された承接部とを備え、前記承接部は、物体側に近い物体側面と、前記物体側面に対向して設置された像側面と、前記物体側面と前記像側面を接続する周縁面とを含み、前記上面には、物体側に向かって延びる突起部が設けられ、前記突起部は、天面と、前記天面の前記光軸に近い縁から前記光軸に近い方向に像側に向かって延びる第１側面と、前記天面の前記光軸から離れた縁から光軸に平行な方向に像側に向かって延びる第２側面とを含み、前記像側面には、対応的に前記突起部を収容する凹部が物体側に向かって凹んで形成されており、前記天面と前記第２側面は前記レンズを当接保持することを特徴とするレンズモジュール。
【請求項２】
前記鏡筒は、前記周縁面に当接する第１当接面と、前記外接続面に当接する第２当接面と、前記第１当接面と前記第２当接面を接続する延出面とを含み、前記延出面は前記第１当接面から前記光軸から離れた方向に向かって延び、前記像側面は、前記周縁面の縁から前記光軸に近い方向に向かって延びる第１表面と、前記第１表面の前記周縁面から離れた縁から物体側に向かって延びる第２表面と、前記第２表面の物体側に近い縁から前記光軸に近い方向に向かって延びる第３表面と、前記第３表面の前記光軸に近い側から前記光軸に近い方向に像側に向かって延びる第４表面とを含み、前記第２側面は前記第２表面上に当接保持され、前記天面は前記第３表面上に当接保持され、前記第１側面は前記第４表面と間隔をあけて設置されていることを特徴とする請求項１に記載のレンズモジュール。
【請求項３】
前記第１表面は前記押えリングと間隔をあけて設置されており、前記上面は前記外接続面に滑らかに過渡的に接続されていることを特徴とする請求項２に記載のレンズモジュール。
【請求項４】
前記像側面は前記第４表面の縁から前記光軸に近い方向に向かって前記光学部まで延びる第５表面をさらに含むことを特徴とする請求項２に記載のレンズモジュール。
【請求項５】
前記天面と前記第３表面はいずれも前記光軸に垂直であることを特徴とする請求項２に記載のレンズモジュール。
【請求項６】
前記押えリングの材質はプラスチックであることを特徴とする請求項１に記載のレンズモジュール。
【請求項７】
前記レンズの物体側に設置された遮光板をさらに備えることを特徴とする請求項１に記載のレンズモジュール。
【請求項８】
前記レンズと前記遮光板の間に遮光シートが設置されていることを特徴とする請求項７に記載のレンズモジュール。
【請求項９】
前記遮光板の物体側に設置されたレンズ群をさらに備え、前記レンズ群は、物体側から像側に向かって順次に積層設置された少なくとも５つのレンズを含み、前記レンズ群は像側から前記鏡筒上に当接保持されることを特徴とする請求項７に記載のレンズモジュール。
【請求項１０】
前記内接続面は、前記上面から前記光軸に近い方向に像側に向かって延びる第１傾斜面と、前記第１傾斜面と前記下面を接続する第２傾斜面とを含み、前記第２傾斜面は前記第１傾斜面から前記光軸から離れた方向に向かって延びることを特徴とする請求項１に記載のレンズモジュール。
【発明の詳細な説明】
【技術分野】
【０００１】
本発明の実施例は、光学結像技術の分野に関し、特に、レンズモジュールに関する。
【背景技術】
【０００２】
科学技術の絶え間ない発展に伴い、電子機器は絶え間なくスマート化へ発展しつつある。ユーザが随時写真を撮ることができるという需要を満たすように、デジタルカメラの以外、タブレットＰＣ、携帯電話等の携帯型の電子機器にも撮影機能を有するレンズモジュールが配置されている。関連技術のレンズモジュールは、鏡筒と、鏡筒内に収容されたレンズと、像側からレンズを当接保持することによりレンズを固定する押えリングとを備え、押えリングの外径は鏡筒の内径と合わせる。
【０００３】
本発明者は従来技術に少なくとも以下の問題が存在することを発見した：押えリングの外径にバリが存在するため、真円度が悪く、押えリングを組み立てる過程において振れが生じやすくなり、押えリングの組み立て精度が低く、レンズモジュールの良品率が低下してしまう。
【発明の概要】
【発明が解決しようとする課題】
【０００４】
本発明の実施形態は、レンズモジュールの良品率を向上させることができるレンズモジュールを提供することを目的とする。
【課題を解決するための手段】
【０００５】
上記の技術的問題を解決するために、本発明の実施形態には、鏡筒と、前記鏡筒内に収容されかつ光軸を有するレンズと、像側から前記レンズを当接保持する押えリングとを備え、前記押えリングは、物体側に近い上面と、前記上面に対向して設置された下面と、前記上面と前記下面を接続する内接続面と、前記内接続面に対向する外接続面とを含み、前記外接続面が前記鏡筒に当接し、前記レンズは、光学部と、前記光学部を取り囲んで設置された承接部とを備え、前記承接部は、物体側に近い物体側面と、前記物体側面に対向して設置された像側面と、前記物体側面と前記像側面を接続する周縁面とを含み、前記上面には、物体側に向かって延びる突起部が設けられ、前記突起部は、天面と、前記天面の前記光軸に近い縁から前記光軸に近い方向に像側に向かって延びる第１側面と、前記天面の前記光軸から離れた縁から光軸に平行な方向に像側に向かって延びる第２側面とを含み、前記像側面には、対応的に前記突起部を収容する凹部が物体側に向かって凹んで形成されており、前記天面と前記第２側面は前記レンズを当接保持するレンズモジュールが提供される。
【０００６】
従来技術に対して、本実施形態は、前記第２側面が前記レンズ上に当接保持されることで、前記レンズの前記押えリングに対する作用力には、前記光軸に垂直でかつ前記光軸に向かった分量が存在し、それによって押えリングはその外径により鏡筒と合わせる必要がなく、押えリングの外径にバリが存在することにより押えリングの組み立てに振れが生じてしまう問題を回避し、押えリングの組み立て精度を確保し、レンズモジュールの良品率を向上させる。それとともに、前記第１側面が前記天面の前記光軸に近い縁から前記光軸に近い方向に像側に向かって延びるため、押えリングはレンズと偽って係合して合わせ、第１側面は組み立て案内機能を果たして押えリングの組み立て位置を確保し、さらに押えリングの組み立て精度を確保する。
【０００７】
また、前記鏡筒は、前記周縁面に当接する第１当接面と、前記外接続面に当接する第２当接面と、前記第１当接面と前記第２当接面を接続する延出面とを含み、前記延出面は前記第１当接面から前記光軸から離れた方向に向かって延び、前記像側面は、前記周縁面の縁から前記光軸に近い方向に向かって延びる第１表面と、前記第１表面の前記周縁面から離れた縁から物体側に延びる第２表面と、前記第２表面の物体側に近い縁から前記光軸に近い方向に向かって延びる第３表面と、前記第３表面の前記光軸に近い側から前記光軸に近い方向に像側に向かって延びる第４表面とを含み、前記第２側面は前記第２表面上に当接保持され、前記天面は前記第３表面上に当接保持され、前記第１側面は前記第４表面と間隔をあけて設置されている。
【０００８】
また、前記第１表面は前記押えリングと間隔をあけて設置されており、前記上面は前記外接続面に滑らかに過渡的に接続されている。
【０００９】
また、前記像側面は前記第４表面の縁から前記光軸に近い方向に向かって前記光学部まで延びる第５表面をさらに含む。このように設置することで、前記押えリングと前記光学部との間に一定の距離があり、前記押えリングが結像のための光を遮断することを回避し、それによって前記レンズモジュールの結像品質を向上させる。
【００１０】
また、前記天面と前記第３表面はいずれも前記光軸に垂直である。
【００１１】
また、前記押えリングの材質はプラスチックである。
【００１２】
また、前記レンズの物体側に設置された遮光板をさらに備える。このように設置することで、前記鏡筒に入る迷光を低減することにより、前記鏡筒の結像品質を向上させることができる。
【００１３】
また、前記レンズと前記遮光板の間に遮光シートが設置されている。
【００１４】
また、前記遮光板の物体側に設置されたレンズ群をさらに備え、前記レンズ群は、物体側から像側に向かって順次に積層設置された少なくとも５つのレンズを含み、前記レンズ群は像側から前記鏡筒上に当接保持される。
【００１５】
また、前記内接続面は、前記上面から前記光軸に近い方向に像側に向かって延びる第１傾斜面と、前記第１傾斜面と前記下面を接続する第２傾斜面とを含み、前記第２傾斜面は前記第１傾斜面から前記光軸から離れた方向に向かって延びる。
【図面の簡単な説明】
【００１６】
１つまたは複数の実施例をそれらに対応する図面によって例示的に説明する。これら例示的な説明は実施例に対する限定ではない。図面における符号が同様な要素は類似な要素として示されており、特別な声明がない限り、図面は比例上の限定とはならない。
【図１】本発明の第１実施形態によって提供されたレンズモジュールの断面構成模式図である。
【図２】図１におけるＡ部の部分拡大図である。
【発明を実施するための形態】
【００１７】
本発明の実施例の目的、技術案及び利点をより明確にするために、以下、図面を参照しながら本発明の各実施形態を詳細に説明する。しかしながら、当業者が理解できるように、本発明の各実施形態では、読者に本発明をよりよく理解させるために多数の技術的詳細が提出されている。ただし、これらの技術的詳細及び以下の各実施形態に基づく種々の変更と修正がなくても、本発明が保護を求めようとする技術案を実現することができる。
【００１８】
本発明の第１実施形態は、図１〜図２に示されるように、鏡筒１１と、鏡筒１１内に収容されかつ光軸ＯＯ′を有するレンズ１２と、像側からレンズ１２を当接保持する押えリング１３とを備え、押えリング１３は、物体側に近い上面１３１と、上面１３１に対向して設置された下面１３２と、上面１３１と下面１３２を接続する内接続面１３３と、内接続面１３３に対向する外接続面１３４とを含み、外接続面１３４が鏡筒１１に当接し、レンズ１２は、光学部１２１と、光学部１２１を取り囲んで設置された承接部１２２とを備え、承接部１２２は、物体側に近い物体側面１２２１と、物体側面１２２１に対向して設置された像側面１２２２と、物体側面１２２１と像側面１２２２を接続する周縁面１２２３とを含み、上面１３１には、物体側に向かって延びる突起部１４が設けられ、突起部１４は、天面１４１と、天面１４１の光軸ＯＯ′に近い縁から光軸ＯＯ′に近い方向に像側に向かって延びる第１側面１４２と、天面１４１の光軸ＯＯ′から離れた縁から光軸ＯＯ′に平行な方向に像側に向かって延びる第２側面１４３とを含み、像側面１２２２には、対応的に突起部１４を収容する凹部１５が物体側に向かって凹んで形成されており、天面１４１と第２側面１４３はレンズ１２を当接保持するレンズモジュール１００に関する。
【００１９】
従来技術に対して、本実施方式は、第２側面１４３がレンズ１２上に当接保持されることで、レンズ１２の押えリング１３に対する作用力には、光軸ＯＯ′に垂直でかつ光軸ＯＯ′に向かった分量が存在し、それによって押えリング１３はその外径により鏡筒１１と合わせる必要がなく、押えリング１３の外径にバリが存在することにより押えリング１３の組み立てに振れが生じてしまう問題を回避し、押えリング１３の組み立て精度を確保し、レンズモジュール１００の良品率を向上させる。同時に、第１側面１４２が天面１４１の光軸ＯＯ′に近い縁から光軸ＯＯ′に近い方向に像側に向かって延びるため、押えリング１３はレンズ１２と偽って係合して合わせ、第１側面１４２は組み立て案内機能を果たして押えリング１３の組み立て位置を確保し、さらに押えリング１３の組み立て精度を確保する。
【００２０】
本実施形態では、押えリング１３の材質はプラスチックである。プラスチックレンズ１２は軽量で、加工されやすく、輸送が便利であり、破裂しにくく、かつ破摧された破片が少なくて比較的に鋭くないため安全性が高い。プラスチックレンズ１２の防曇性が強く、レンズモジュール１００の結像品質を向上させる。プラスチックレンズ１２はへこみを防止することができ、一般的に高熱でかつ体積が小さい物質はガラスレンズにへこみとスポットを生じさせやすくなるが、プラスチックレンズ１２の場合、自動的に弾かれ、レンズ１２の表面に何の跡形も残せず、それによってレンズモジュール１００の使用寿命を向上させる。
【００２１】
具体的には、鏡筒１１は、周縁面１２２３に当接する第１当接面１１１と、外接続面１３４に当接する第２当接面１１２と、第１当接面１１１と第２当接面１１２を接続する延出面１１３とを含み、延出面１１３は第１当接面１１１から光軸ＯＯ′から離れた方向に向かって延び、像側面１２２２は、周縁面１２２３の縁から光軸ＯＯ′に近い方向に向かって延びる第１表面１２２２ａと、第１表面１２２２ａの周縁面１２２３から離れた縁から物体側に延びる第２表面１２２２ｂと、第２表面１２２２ｂの物体側に近い縁から光軸ＯＯ′に近い方向に向かって延びる第３表面１２２２ｃと、第３表面１２２２ｃの光軸ＯＯ′に近い側から光軸ＯＯ′に近い方向に像側に向かって延びる第４表面１２２２ｄとを含み、第２側面１４３は第２表面１２２２ｂ上に当接保持され、天面１４１は第３表面１２２２ｃ上に当接保持され、第１側面１４２は第４表面１２２２ｄと間隔をあけて設置されている。
【００２２】
さらに、第１表面１２２２ａは押えリング１３と間隔をあけて設置されており、上面１３１は外接続面１３４に滑らかに過渡的に接続されている。理解できるように、第１表面１２２２ａは押えリング１３に当接してもよい。
【００２３】
選択できるように、像側面１２２２は第４表面１２２２ｄの縁から光軸ＯＯ′に近い方向に向かって光学部１２１まで延びる第５表面１２２２ｅをさらに含む。このように設置することで、押えリング１３と光学部１２１との間に一定の距離があり、押えリング１３が結像のための光を遮断することを回避し、それによってレンズモジュール１００の結像品質を向上させる。
【００２４】
天面１４１と第３表面１２２２ｃはいずれも光軸ＯＯ′に垂直である。
【００２５】
本実施形態では、レンズモジュール１００は、レンズ１２の物体側に設置された遮光板１６をさらに備え、このように設置することで、鏡筒１１に入る迷光を低減することにより、鏡筒１１の結像品質を向上させることができる。選択できるように、レンズ１２と遮光板１６の間に遮光シート１７が設置されることで、迷光をさらに放出し、レンズモジュール１００の結像品質を向上させる。
【００２６】
本実施形態では、レンズモジュール１００は、遮光板１６の物体側に設置されたレンズ群１８をさらに備え、レンズ群１８は、物体側から像側に向かって順次に積層設置された少なくとも５つのレンズを含み、レンズ群１８は像側から鏡筒１１上に当接保持される。
【００２７】
具体的には、内接続面１３３は、第１表面１３１１から光軸ＯＯ′に近い方向に像側に向かって延びる第１傾斜面１３３１と、第１傾斜面１３３１と下面１３２を接続する第２傾斜面１３３２とを含み、第２傾斜面１３３２は第１傾斜面１３３１から光軸ＯＯ′から離れた方向に向かって延びる。
【００２８】
当業者が理解できるように、上記の各実施形態は、本発明を実現するための具体的な実施例であり、実際の適用において、本発明の主旨及び範囲を逸脱することなく、形式上及び細部上でそれらに対して種々の変更を行うことができる。
【図１】
2020086441.tif 000003
【図２】
2020086441.tif 000004